(57)【要約】【課題】製造されるシートに関する有益な情報をユーザーに提供できるようにする。【解決手段】繊維と、着色材を含む添加剤との混合物からシートを製造するシート製造装置１は、添加剤を色ごとに収容する複数の添加剤収容部と、添加剤の供給を制御する制御部２０とを有し、制御部２０は、製造するシートの量を示すシート量情報を取得すると共に、添加剤の残量を示す添加剤残量情報を取得し、シート量情報が示すシートの量と、添加剤残量情報が示す添加剤の残量とに基づいて、製造可能なシートの色空間を示す色空間情報を選択可能に表示させる。【選択図】図３
2018144459.tif 000002
【特許請求の範囲】
【請求項１】
繊維と、着色材を含む添加剤との混合物からシートを製造するシート製造装置であって、
前記添加剤を色ごとに収容する複数の添加剤収容部と、前記添加剤の供給を制御する制御部と、を有し、
前記制御部は、
製造するシートの量を示すシート量情報を取得すると共に、前記添加剤の残量を示す添加剤残量情報を取得し、前記シート量情報が示すシートの量と、前記添加剤残量情報が示す前記添加剤の残量とに基づいて、製造可能なシートの色空間を示す色空間情報を選択可能に表示させる
ことを特徴とするシート製造装置。
【請求項２】
前記制御部は、
前記色空間情報として、色相を示す情報、濃淡を示す情報、又は、色相を示す情報と濃淡を示す情報との組み合わせを表示させる
ことを特徴とする請求項１に記載のシート製造装置。
【請求項３】
前記添加剤収容部は、前記添加剤を収容したカートリッジを含み、
前記カートリッジは、収容する前記添加剤の色を示す添加剤色情報を有し、
前記制御部は、
前記カートリッジから前記添加剤色情報を取得する
ことを特徴とする請求項１又は２に記載のシート製造装置。
【請求項４】
前記添加剤収容部は、前記添加剤を収容したカートリッジを含み、
前記カートリッジは、前記添加剤残量情報を有し、
前記制御部は、
前記カートリッジから前記添加剤残量情報を取得する
ことを特徴とする請求項１から３のいずれか１項に記載のシート製造装置。
【請求項５】
前記制御部は、
前記カートリッジが収容する前記添加剤の残量に応じて、前記カートリッジが有する前記添加剤残量情報の値を変更する機能を有する
ことを特徴とする請求項４に記載のシート製造装置。
【請求項６】
前記添加剤収容部は、
前記添加剤を収容したカートリッジと、前記カートリッジから前記添加剤を受け入れるホッパーと、前記添加剤の残量を検出する検出器と、を有し、
前記制御部は、
前記検出器の検出結果に基づいて、前記カートリッジが有する前記添加剤残量情報の値を変更する
ことを特徴とする請求項５に記載のシート製造装置。
【請求項７】
繊維と、着色材を含む添加剤との混合物からシートを製造するシート製造装置であって、
前記添加剤を色ごとに収容する複数の添加剤収容部と、前記添加剤の供給を制御する制御部と、を有し、
前記制御部は、
製造するシートの色空間を示す色空間情報を取得すると共に、前記添加剤の残量を示す添加剤残量情報を取得し、前記色空間情報が示すシートの色空間と、前記添加剤残量情報が示す前記添加剤の残量とに基づいて、製造可能なシートの枚数を示す枚数情報を表示させる
ことを特徴とするシート製造装置。
【請求項８】
前記制御部は、
前記色空間情報として、色相を示す情報、濃淡を示す情報、又は、色相を示す情報と濃淡を示す情報との組み合わせを取得する
ことを特徴とする請求項７に記載のシート製造装置。
【請求項９】
前記添加剤収容部は、前記添加剤を収容したカートリッジを含み、
前記カートリッジは、収容する前記添加剤の色を示す添加剤色情報を有し、
前記制御部は、
前記カートリッジから前記添加剤色情報を取得する
ことを特徴とする請求項７又は８に記載のシート製造装置。
【請求項１０】
前記添加剤収容部は、前記添加剤を収容したカートリッジを含み、
前記カートリッジは、前記添加剤残量情報を有し、
前記制御部は、
前記カートリッジから前記添加剤残量情報を取得する
ことを特徴とする請求項７から９のいずれか１項に記載のシート製造装置。
【請求項１１】
前記制御部は、
前記カートリッジが収容する前記添加剤の残量に応じて、前記カートリッジが有する前記添加剤残量情報の値を変更する機能を有する
ことを特徴とする請求項１０に記載のシート製造装置。
【請求項１２】
前記添加剤収容部は、
前記添加剤を収容したカートリッジと、前記カートリッジから前記添加剤を受け入れるホッパーと、前記添加剤の残量を検出する検出器と、を有し、
前記制御部は、
前記検出器の検出結果に基づいて、前記カートリッジが有する前記添加剤残量情報の値を変更する
ことを特徴とする請求項１１に記載のシート製造装置。
【発明の詳細な説明】
【技術分野】
【０００１】
本発明は、シート製造装置に関する。
【背景技術】
【０００２】
従来、繊維と、着色剤を含む添加剤との混合物から、着色されたシートを製造するシート製造装置が知られている（例えば、特許文献１参照）。
【先行技術文献】
【特許文献】
【０００３】
【特許文献１】特開２０１６−１７５２８３号公報
【発明の概要】
【発明が解決しようとする課題】
【０００４】
上述した特許文献１のように、着色されたシートを製造可能なシート製造装置では、シートの製造に際し、製造されるシートに関する有益な情報をユーザーに提供したいとするニーズがある。
本発明は、上述した事情に鑑みてなされたものであり、製造されるシートに関する有益な情報をユーザーに提供できるようにすることを目的とする。
【課題を解決するための手段】
【０００５】
上記目的を達成するために、本発明は、繊維と、着色材を含む添加剤との混合物からシートを製造するシート製造装置であって、前記添加剤を色ごとに収容する複数の添加剤収容部と、前記添加剤の供給を制御する制御部と、を有し、前記制御部は、製造するシートの量を示すシート量情報を取得すると共に、前記添加剤の残量を示す添加剤残量情報を取得し、前記シート量情報が示すシートの量と、前記添加剤残量情報が示す前記添加剤の残量とに基づいて、製造可能なシートの色空間を示す色空間情報を選択可能に表示させることを特徴とする。
この構成によれば、シートの製造に際し、添加剤の残量不足を発生させることなく製造可能なシートの色空間を示す色空間情報という、製造されるシートに関する有益な情報をユーザーに提供できる。
【０００６】
また、本発明は、前記制御部は、前記色空間情報として、色相を示す情報、濃淡を示す情報、又は、色相を示す情報と濃淡を示す情報との組み合わせを表示させることを特徴とする。
この構成によれば、制御部は、色空間情報として、製造するシートの色に関する的確な情報を取得できる。
【０００７】
また、本発明は、前記添加剤収容部は、前記添加剤を収容したカートリッジを含み、前記カートリッジは、収容する前記添加剤の色を示す添加剤色情報を有し、前記制御部は、前記カートリッジから前記添加剤色情報を取得することを特徴とする。
この構成によれば、制御部は、カートリッジに収容された添加剤の色を的確に認識できる。
【０００８】
また、本発明は、前記添加剤収容部は、前記添加剤を収容したカートリッジを含み、前記カートリッジは、前記添加剤残量情報を有し、前記制御部は、前記カートリッジから前記添加剤残量情報を取得することを特徴とする。
この構成によれば、制御部は、カートリッジに収容された添加剤の残量を的確に認識できる。
【０００９】
また、本発明は、前記制御部は、前記カートリッジが収容する前記添加剤の残量に応じて、前記カートリッジが有する前記添加剤残量情報の値を変更する機能を有することを特徴とする。
この構成によれば、制御部は、適宜、カートリッジが有する添加剤残量情報の値を、実際のカートリッジに収容された添加剤の残量に対応する値に更新することができる。
【００１０】
また、本発明は、前記添加剤収容部は、前記添加剤を収容したカートリッジと、前記カートリッジから前記添加剤を受け入れるホッパーと、前記添加剤の残量を検出する検出器と、を有し、前記制御部は、前記検出器の検出結果に基づいて、前記カートリッジが有する前記添加剤残量情報の値を変更することを特徴とする。
この構成によれば、制御部は、検出器の検出結果に基づいて、適宜、カートリッジが有する添加剤残量情報の値を、実際のカートリッジに収容された添加剤の残量に対応する値に更新することができる。
【００１１】
また、上記目的を達成するために、本発明は、繊維と、着色材を含む添加剤との混合物からシートを製造するシート製造装置であって、前記添加剤を色ごとに収容する複数の添加剤収容部と、前記添加剤の供給を制御する制御部と、を有し、前記制御部は、製造するシートの色空間を示す色空間情報を取得すると共に、前記添加剤の残量を示す添加剤残量情報を取得し、前記色空間情報が示すシートの色空間と、前記添加剤残量情報が示す前記添加剤の残量とに基づいて、製造可能なシートの枚数を示す枚数情報を表示させることを特徴とする。
この構成によれば、シートの製造に際し、添加剤の残量不足を発生させることなく製造可能なシートの枚数を示す枚数情報という、製造されるシートに関する有益な情報をユーザーに提供できる。
【００１２】
また、本発明は、前記制御部は、前記色空間情報として、色相を示す情報、濃淡を示す情報、又は、色相を示す情報と濃淡を示す情報との組み合わせを取得することを特徴とする。
この構成によれば、制御部は、色空間情報として、製造するシートの色に関する的確な情報を取得できる。
【００１３】
また、本発明は、前記添加剤収容部は、前記添加剤を収容したカートリッジを含み、前記カートリッジは、収容する前記添加剤の色を示す添加剤色情報を有し、前記制御部は、前記カートリッジから前記添加剤色情報を取得することを特徴とする。
この構成によれば、制御部は、カートリッジに収容された添加剤の色を的確に認識できる。
【００１４】
また、本発明は、前記添加剤収容部は、前記添加剤を収容したカートリッジを含み、前記カートリッジは、前記添加剤残量情報を有し、前記制御部は、前記カートリッジから前記添加剤残量情報を取得することを特徴とする。
この構成によれば、制御部は、カートリッジに収容された添加剤の残量を的確に認識できる。
【００１５】
また、本発明は、前記制御部は、前記カートリッジが収容する前記添加剤の残量に応じて、前記カートリッジが有する前記添加剤残量情報の値を変更する機能を有することを特徴とする。
この構成によれば、制御部は、適宜、カートリッジが有する添加剤残量情報の値を、実際のカートリッジに収容された添加剤の残量に対応する値に更新することができる。
【００１６】
また、本発明は、前記添加剤収容部は、前記添加剤を収容したカートリッジと、前記カートリッジから前記添加剤を受け入れるホッパーと、前記添加剤の残量を検出する検出器と、を有し、前記制御部は、前記検出器の検出結果に基づいて、前記カートリッジが有する前記添加剤残量情報の値を変更することを特徴とする。
この構成によれば、制御部は、検出器の検出結果に基づいて、適宜、カートリッジが有する添加剤残量情報の値を、実際のカートリッジに収容された添加剤の残量に対応する値に更新することができる。
【図面の簡単な説明】
【００１７】
【図１】シート製造装置の正面図。
【図２】シートを製造する際に実行される工程のフローを示す図。
【図３】シート製造装置の機能的構成を示すブロック図。
【図４】シート製造装置の動作を示すフローチャート。
【図５】濃淡選択ユーザーインターフェースを示す図。
【図６】色相選択ユーザーインターフェースを示す図。
【図７】枚数設定ユーザーインターフェースを示す図。
【図８】色相選択ユーザーインターフェースの変形例。
【図９】色相選択ユーザーインターフェースの変形例。
【図１０】色相選択ユーザーインターフェースの変形例。
【発明を実施するための形態】
【００１８】
以下、図面を参照して本発明の実施形態について説明する。
図１は、本実施形態に係るシート製造装置１の正面図である。なお、図１を用いた説明において、上下左右の各方向は、図中で矢印により示す方向に対応する。
シート製造装置１は、繊維を含む原料が供給され、供給された原料を加工して所定の形状で所定の色のシートを製造する装置である。本実施形態では、シート製造装置１に供給される原料は、紙状の古紙である。ただし、シート製造装置１に供給される原料は、古紙に限らない。シート製造装置１に供給される原料は繊維を含むものであればよく、例えば、パルプ、パルプシート、不織布を含む布、或いは織物等が挙げられる。
【００１９】
図１に示すように、シート製造装置１は、略直方体の筐体２を備える。筐体２の正面２ａの中央上部には、正面２ａの上部に設けられた開口を開閉する開閉扉３が設けられる。開閉扉３には取っ手３ａが設けられ、ユーザーは、取っ手３ａを用いて開閉扉３を開状態又は閉状態とすることができる。開閉扉３が開状態となると、収容部４が露出する。収容部４は、筐体２の内部の開閉扉３に対応する位置に設けられた空間であり、第１カートリッジＫＴ１（カートリッジ）と、第２カートリッジＫＴ２（カートリッジ）と、第３カートリッジＫＴ３（カートリッジ）と、第４カートリッジＫＴ４（カートリッジ）と、第５カートリッジＫＴ５（カートリッジ）と、第６カートリッジＫＴ６（カートリッジ）とを収容する。
【００２０】
第１カートリッジＫＴ１は、着色されていない添加剤を収容する。第２カートリッジＫＴ２は、着色されていない添加剤を収容する。第１カートリッジＫＴ１が収容する添加剤と、第２カートリッジＫＴ２が収容する添加剤とは異なる成分であり、製造するシートの仕様に応じて、片方の添加剤のみ使用したり、両者を所定の配分で混合して使用したりする。なお、両者は同じ成分であってもよい。以下、便宜的に、第１カートリッジＫＴ１、及び、第２カートリッジＫＴ２に収容された添加剤の色を「無着色」と表現する。
第３カートリッジＫＴ３は、白色（Ｗ）の着色材により着色された白色の添加剤を収容する。第４カートリッジＫＴ４は、イエロー（Ｙ）の着色材により着色されたイエローの添加剤を収容する。第５カートリッジＫＴ５は、マゼンタ（Ｍ）の着色材により着色されたマゼンタの添加剤を収容する。第６カートリッジＫＴ６は、シアン（Ｃ）の着色材により着色されたシアンの添加剤を収容する。
以下、添加剤の色のうち、イエロー、マゼンタ、及び、シアンを総称して「特定色」という。また、第１カートリッジＫＴ１〜第６カートリッジＫＴ６を区別しない場合、「カートリッジＫＴ」と表現する。
【００２１】
収容部４には、カートリッジＫＴごとに、添加剤収容部６が設けられる。添加剤収容部６は、収容部４に収容されたカートリッジＫＴと、ホッパー９と、検出器１０（図３）とを備える。
ホッパー９は、その上部にカートリッジＫＴを装着可能な部材である。ホッパー９にカートリッジＫＴが装着されると、カートリッジＫＴからホッパー９に添加剤が供給され、ホッパー９に添加剤が貯留する。カートリッジＫＴからホッパー９に添加剤が供給される方法は、どのような方法であってもよい。一例として、カートリッジＫＴからホッパー９に対して、添加剤に作用する重力により、添加剤が供給される。
検出器１０は、添加剤の残量を検出し、検出結果を示す情報を制御部２０（図３）に出力する。検出器１０が添加剤の残量を検出する方法は、どのような方法であってもよい。例えば、検出器１０は、カートリッジＫＴの重量を測定し、初期状態（未使用状態）のカートリッジＫＴの重力と、現在のカートリッジＫＴの重量との差に基づいて、添加剤の残量を検出する。また例えば、検出器１０は、カートリッジＫＴの内部における添加剤の高さを光学的に測定し、カートリッジＫＴの内部における添加剤の高さに基づいて、添加剤の残量を検出する。また例えば、検出器１０は、カートリッジＫＴから供給された添加剤の量を監視し、カートリッジＫＴから供給された添加剤の量に基づいて、添加剤の残量を検出する。なお、ホッパー９に収容されている添加剤の残量を検出するように構成してもよい。また、添加剤収容部６（カートリッジＫＴとホッパー９）の添加剤の残量を検出するように構成してもよい
【００２２】
開閉扉３は、透明または半透明の素材で構成されており、ユーザーは、開閉扉３を開状態とすることなく、収容部４に収納されたカートリッジＫＴの状態を視認できる。また、ユーザーは、開閉扉３を開状態として収容部４を露出した後、カートリッジＫＴを交換できる。
【００２３】
図１に示すように、筐体２の正面２ａにおいて、開閉扉３の右方には、タッチパネル５が設けられる。タッチパネル５は、シート製造装置１が、オフィスや、工場、その他の空間に設けられた場合において、当該装置を操作することが想定されるユーザーが、姿勢を変えることなく簡易に視認でき、かつ、簡易にタッチ操作ができる高さの位置に設けられる。一例として、タッチパネル５は、タッチパネル５の中央部の高さが約１．４メートルとなる位置に設けられる。後述するように、タッチパネル５には、シート製造装置１に関する各種情報が表示されたユーザーインターフェースが表示される。
【００２４】
図１に示すように、筐体２の正面２ａにおいて、タッチパネルの下方には、押下式の電源スイッチ７が設けられる。また、筐体２の左側面２ｂの上下方向の中央部には、回転式のブレーカースイッチ８が設けられる。ユーザーは、シート製造装置１が起動してない状態において、シート製造装置１を起動させ、シート製造装置１についてシートを製造する処理を開始できる状態とする場合、ブレーカースイッチ８をオンにした後、電源スイッチ７をオンにする。
【００２５】
図１に示すように、筐体２の正面２ａの下部には、正面２ａから突出した状態で、給紙カセット１１が設けられる。給紙カセット１１は、製造するシートの原料となる古紙が収容される装置である。シートの製造に際し、給紙カセット１１に収容された古紙が所定の手段により筐体２の内部に供給される。
図１に示すように、筐体２の正面２ａの左端部には、筐体２が後方に向かって凹むことによって空間が形成されており、当該空間には、排紙トレイ１２が設けられる。排紙トレイ１２は、シート製造装置１により製造されたシートが、順次、排紙され、貯留される装置である。
【００２６】
次に、シート製造装置１がシートを製造するときの基本的な工程について説明する。
図２は、シートを製造する際に実行される工程のフローを示す図である。
図２に示すように、まず、供給工程Ｋ１が実行される。供給工程Ｋ１では、給紙カセット１１等から筐体２に古紙が供給される。
供給工程Ｋ１の次に、粗砕工程Ｋ２が実行される。粗砕工程Ｋ２では、古紙が、空気中で切断され、１〜数センチ四方またはそれ以下のサイズの紙片に裁断される。
粗砕工程Ｋ２の次に、解繊工程Ｋ３が実行される。解繊工程Ｋ３では、粗砕工程Ｋ２で裁断された原料が、繊維状に解きほぐされ解繊されることによって、解繊物が生成される。
解繊工程Ｋ３の次に、選別工程Ｋ４が実行される。選別工程Ｋ４では、解繊物から長い繊維（長繊維。）や、十分に解繊されなかった未解繊片が空気中で選別されて取り除かれる。取り除かれた繊維や未解繊片は、廃物として、筐体２の内部に設けられた廃物袋に排出され、貯留される。あるいは、解繊工程Ｋ３に戻されて、再度解繊される。
選別工程Ｋ４の次に、混合工程Ｋ５が実行される。混合工程Ｋ５では、解繊物と添加剤とが混合されて、混合物が生成される。
混合工程Ｋ５では、所定の量の解繊物に対して、１又は複数のカートリッジＫＴ（添加剤収容部６）から添加剤が供給されて、混合される。混合工程Ｋ５において、供給する添加剤の色、及び、供給量によって、製造されるシートの色が調整される。
混合工程Ｋ５の次に、堆積工程Ｋ６が実行される。堆積工程Ｋ６では、混合物が空気中で分散されながら降らされ、堆積されて搬送される。
堆積工程Ｋ６の次に、シート形成工程Ｋ７が実行される。シート形成工程Ｋ７では、堆積工程Ｋ６で堆積されて搬送される混合物が加圧、加熱されてカット前シート（長尺状シート）が生成される。例えば、熱可塑性樹脂と色材とが一体になった複合体を添加剤として用い、解繊物（セルロース繊維）と添加剤との混合物を加圧加熱することにより、混合物中の複数の繊維同士を添加剤（樹脂）を介して結着させることができる。
シート形成工程Ｋ７の次に、切断工程Ｋ８が実行される。切断工程Ｋ８では、生成されたカット前シートが切断されて、所定のサイズ（例えば、Ａ４やＡ３サイズ）のシートが製造される。
切断工程Ｋ８の次に、排紙工程Ｋ９が実行される。排紙工程Ｋ９では、排紙トレイ１２に、製造されたシートが排紙される。
また、上記の各工程と並行して、加湿工程Ｋ１０が実行される。図示しない貯水タンクにより水が供給される加湿器によって、例えば、装置内の各部や混合物が適切に加湿される。
【００２７】
図３は、シート製造装置１の機能的構成を示すブロック図である。
図３に示すように、シート製造装置１は、制御部２０と、タッチパネル５と、記憶部２２と、入力部２３と、ＩＣタグ通信部２４と、検出器１０と、供給部３１と、粗砕部３２と、解繊部３３と、選別部３４と、混合部３５と、堆積部３６と、シート形成部３７と、切断部３８と、排紙部３９と、加湿部４０とを有する。
【００２８】
制御部２０は、ＣＰＵや、ＲＯＭ、ＲＡＭ、ＡＳＩＣ、信号処理回路等を備え、シート製造装置１の各部を制御する。制御部２０は、例えばＣＰＵが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
【００２９】
タッチパネル５は、液晶パネルや、有機ＥＬパネル等の表示パネルを備える。タッチパネル５は、制御部２０の制御で、表示パネルに各種情報を表示する。タッチパネル５は、表示パネルに重ねて配置されたタッチセンサーを備える。タッチパネル５は、タッチパネル５に対するユーザーのタッチ操作を検出し、検出したタッチ操作の位置を示す情報を制御部２０に出力する。制御部２０は、タッチパネル５からの入力に基づいて、ユーザーのタッチ操作に対応する処理を実行する。
【００３０】
記憶部２２は、不揮発性メモリーを備え、各種データを記憶する。
入力部２３は、シート製造装置１に設けられたスイッチ（ブレーカースイッチ８、及び、電源スイッチ７を含む。）に対する操作を検出し、制御部２０に出力する。制御部２０は、入力部２３からの入力に基づいて、スイッチに対する操作に対応する処理を実行する。
【００３１】
ＩＣタグ通信部２４は、ＩＣタグとの間で無線信号を送受信するアンテナと、ＲＦ回路とを有する読取装置を備え、ＩＣタグと所定の通信規格に従って通信し、ＩＣタグから情報を読み出し、また、ＩＣタグに情報を書き込み、また、ＩＣタグが記憶する情報の値を変更する。ＩＣタグ通信部２４によるデータの読み取りの対象となるＩＣタグは、ＩＣタグが有するアンテナに誘起される電力によりＩＣタグが有するＩＣを駆動する受動型のＩＣタグである。
カートリッジＫＴのそれぞれには、ＩＣタグが取り付けられる。１のカートリッジＫＴのＩＣタグには、当該１のカートリッジＫＴに収容された添加剤の色を示す添加剤色情報と、当該１のカートリッジＫＴに収容された添加剤の残量を示す添加剤残量情報とが記録される。
検出器１０は、カートリッジＫＴのそれぞれについて、カートリッジＫＴに収容された添加剤の残量を検出し、検出結果を示す情報を制御部２０に出力する。制御部２０は、検出器１０からの入力に基づいて、添加剤の残量を検出する。
【００３２】
ここで、制御部２０は、所定の周期で、各色の添加剤について、検出器１０からの入力に基づいて（検出器１０の検出結果に基づいて）、添加剤の残量を検出する。そして、制御部２０は、ＩＣタグ通信部２４を制御して、各色のカートリッジＫＴに取り付けられたＩＣタグと通信させ、ＩＣタグが記憶する添加剤残量情報の値を、最新の添加剤の残量を示す値へと変更する。これにより、カートリッジＫＴが一時的に取り外された場合であっても、取り外されたカートリッジＫＴに取り付けられたＩＣタグが、カートリッジＫＴの現状の添加剤の残量を示す添加剤残量情報を記憶した状態とすることができる。
【００３３】
供給部３１は、上述した供給工程Ｋ１を実行する機能部である。供給部３１は、給紙カセット１１、給紙カセット１１に収容された古紙を搬送する搬送機構、その他の供給工程Ｋ１を実行するために必要な要素を備え、制御部２０の制御で、供給工程Ｋ１を実行する。
粗砕部３２は、上述した粗砕工程Ｋ２を実行する機能部である。粗砕部３２は、古紙を空気中で切断する切断機構、その他の粗砕工程Ｋ２を実行するために必要な要素を備え、制御部２０の制御で、粗砕工程Ｋ２を実行する。
解繊部３３は、上述した解繊工程Ｋ３を実行する機能部である。解繊部３３は、粗砕工程Ｋ２で裁断された原料を繊維状に解きほぐす解繊機構、その他の解繊工程Ｋ３を実行するために必要な要素を備え、制御部２０の制御で、解繊工程Ｋ３を実行する。
【００３４】
選別部３４は、上述した選別工程Ｋ４を実行する機能部である。選別部３４は、解繊物から不純物を選別する選別機構、その他の選別工程Ｋ４を実行するために必要な要素を備え、制御部２０の制御で、選別工程Ｋ４を実行する。
混合部３５は、上述した混合工程Ｋ５を実行する機能部である。混合部３５は、カートリッジＫＴ（ホッパー９）から添加剤を供給する機構、解繊物と添加剤とを混合する機構等の、混合工程Ｋ５を実行するために必要な要素を備え、制御部２０の制御で、混合工程Ｋ５を実行する。混合工程Ｋ５において、制御部２０は、混合部３５を制御して、添加剤の供給を制御する。
【００３５】
堆積部３６は、上述した堆積工程Ｋ６を実行する機能部である。堆積部３６は、混合物を堆積し、搬送する機構、その他の堆積工程Ｋ６を実行するために必要な要素を備え、制御部２０の制御で、堆積工程Ｋ６を実行する。
シート形成部３７は、上述したシート形成工程Ｋ７を実行する機能部である。シート形成部３７は、堆積されて搬送される混合物を加圧、加熱する機構、その他のシート形成工程Ｋ７を実行するために必要な要素を備え、制御部２０の制御で、シート形成工程Ｋ７を実行する。
切断部３８は、上述した切断工程Ｋ８を実行する機能部である。切断部３８は、カット前シートを切断する切断機構、その他の切断工程Ｋ８を実行するために必要な要素を備え、制御部２０の制御で、切断工程Ｋ８を実行する。
排紙部３９は、上述した排紙工程Ｋ９を実行する機能部である。排紙部３９は、排紙トレイ１２、排紙トレイ１２にシートを排出する機構、その他の排紙工程Ｋ９を実行するために必要な要素を備え、制御部２０の制御で、排紙工程Ｋ９を実行する。
加湿部４０は、上述した加湿工程Ｋ１０を実行する機能部である。加湿部４０は、貯水タンク、貯水タンクから水が供給されて加湿する加湿器、その他の加湿工程Ｋ１０を実行するために必要な要素を備え、制御部２０の制御で、加湿工程Ｋ１０を実行する。
【００３６】
次に、シート製造装置１がシートを製造する処理について説明する。
図４のフローチャートＦＡは、シートを製造するときのシート製造装置１の動作を示すフローチャートである。
シート製造装置１がシートの製造を開始する前の所定のタイミングで、ユーザーによって、枚数指定モードＭ１、又は、色指定モードＭ２のいずれかのモードが選択される（ステップＳ１）。モードの選択は、タッチパネル５に表示された所定のユーザーインターフェースへの入力により行われる。
後に明らかとなるとおり、ユーザーは、シート製造装置１に製造させるシートの枚数が決まっており、色空間（色空間の概念については後述する。）について設定したい場合は、モードとして、枚数指定モードＭ１を選択する。ユーザーは、シート製造装置１に製造させるシートの色空間が決まっており、製造させるシートの枚数について設定したい場合は、モードとして、色指定モードＭ２を選択する。
【００３７】
ユーザーにより、モードの選択が行われると、シート製造装置１の制御部２０は、ユーザーにより選択されたモードが、枚数指定モードＭ１と、色指定モードＭ２とのいずれであるかを判別する（ステップＳＡ１）。
【００３８】
選択されたモードが枚数指定モードＭ１の場合（ステップＳＡ１：枚数指定モードＭ１）、制御部２０は、タッチパネル５に、製造枚数入力ユーザーインターフェースを表示させる（ステップＳＡ２）。
製造枚数入力ユーザーインターフェースは、シート製造装置１に製造させるシートの枚数を示す情報（以下、「製造枚数情報」という。）と、製造させるシートのサイズを示す情報（以下、「サイズ情報」という。）と、シートの厚さを示す情報（以下、「厚さ情報」という。）と、製造させるシートの種類を示す情報（以下、「種類情報」という。）が入力可能なユーザーインターフェースである。
本実施形態では、シートのサイズは、「Ａ３」、又は、「Ａ４」である。シートのサイズとして、他のサイズがあってもよい。また、本実施形態では、シートの厚さは、予め定められた複数段階のレベルにより表される。また、本実施形態では、シートの種類として、「白紙」と、「色紙」とがある。
「白紙」とは、シアン、マゼンタ、及び、イエローの添加剤が用いられることなく、白色の添加剤が用いられて着色されたシートである。シートの種類が「白紙」の場合、製造されるシートの色空間は、白色、又は、白色に準じた色になる。以下、シートの種類が「白紙」の場合に製造されるシートの色を「白基準色」という。
「色紙」とは、シアン、マゼンタ、及び、イエローのうち、少なくとも１つの色の添加剤が用いられて着色されたシートである。以下、シートの種類が「色紙」の場合に製造されるシートの色空間を「非白基準色」という。
本実施形態に係るシート製造装置１は、ユーザーからの指示に応じて、所定の色、所定のサイズ、所定の厚さ、所定の種類のシートを、所定の枚数、連続して、製造することができる。
ユーザーは、製造枚数入力ユーザーインターフェースに、シート製造装置１に製造させるシートについての製造枚数情報、サイズ情報、厚さ情報、及び、種類情報を入力する（ステップＳ２）。
なお、製造するシートについて、製造する枚数、シートのサイズ、シートの厚さに応じて、製造するシートの量が定まる。製造枚数情報、サイズ情報、及び、厚さ情報の組み合わせは、製造するシートの量を示す「シート量情報」に相当する。
【００３９】
製造枚数入力ユーザーインターフェースに対するユーザーの入力に応じて、制御部２０は、製造枚数情報、サイズ情報、厚さ情報、及び、種類情報を取得する（ステップＳＡ３）。
次いで、制御部２０は、ＩＣタグ通信部２４を制御して、各カートリッジＫＴに取り付けられたＩＣタグから、添加剤色情報、及び、添加剤残量情報を読み出し、各色の添加剤について、添加剤残量情報を取得する（ステップＳＡ４）。
【００４０】
次いで、制御部２０は、ステップＳＡ３で取得した製造枚数情報、サイズ情報、厚さ情報、及び、種類情報と、ステップＳＡ４で取得した添加剤残量情報とに基づいて、色空間算出処理を実行する（ステップＳＡ５）。
色空間算出処理は、各色のカートリッジＫＴ（添加剤収容部６）に収容された添加剤の残量を踏まえ、ユーザーが指定したサイズ、厚さ、種類のシートを、ユーザーが指定した枚数、製造する場合に、シートの色空間として、選択可能な色空間を算出する処理である。
以下、色空間算出処理について、製造するシートの種類が「白紙」の場合と、「色紙」の場合とに分けて説明する。
【００４１】
＜製造するシートの種類が「白紙」の場合＞
製造するシートの種類が「白紙」の場合、ユーザーは、ステップＳＡ５の色空間算出処理の実行後にタッチパネル５に表示される濃淡選択ユーザーインターフェースＵＩ１（図５参照。）により、製造するシートの色空間である白基準色について、その濃淡を選択できる。本実施形態では、白基準色の濃淡は、レベルＬ０〜レベルＬ４の５段階から選択可能であり、レベルＬ０からレベルＬ４に向かって、段階的に白基準色における白色の度合いが濃くなる。以下、白基準色の濃淡のレベルを、「白色濃淡レベル」という。
製造するシートの種類が「白紙」の場合、上述した混合工程Ｋ５において、解繊物に対して、白色の添加剤が供給されると共に、必要に応じて無着色の添加剤が供給され、解繊物と供給された添加物とが混合される。そして、白色濃淡レベルがレベルＬ０からレベルＬ４に向かうに従って、混合工程Ｋ５で、所定の単位の重量の解繊物に対して供給される添加剤の全体の量における白色の添加剤の量の割合が多くなる。
【００４２】
製造するシートの種類が「白紙」の場合、ステップＳＡ５の色空間算出処理において、制御部２０は、以下の処理を実行する。すなわち、制御部２０は、ユーザーが指定したサイズ、厚さで、ユーザーが指定した枚数のシートを製造する場合に、無着色の添加剤、及び、白色の添加剤のそれぞれについて残量不足が生じることなく、シートの色空間とすることが可能な白基準色の白色濃淡レベルを算出する。
例えば、制御部２０は、以下の処理を実行する。制御部２０は、白色濃淡レベルのそれぞれについて、ユーザーが指定したサイズ、厚さのシートを、１枚、製造するために必要な無着色の添加剤の量、及び、白色の添加剤の量を算出する。当該算出に必要な情報は、予めＲＯＭ等に登録されている。あるいは、白色濃淡レベル、サイズ、厚さの全ての組み合わせ毎に、１枚製造するために必要な無着色及び白色の添加剤の量を、ＲＯＭ等に記録しておき、当該記録されている情報を取得するようにしてもよい。次いで、制御部２０は、白色濃淡レベルのそれぞれについて、１枚のシートを製造するために必要な無着色の添加剤の量、及び、白色の添加剤の量に基づいて、ユーザーが指定した枚数分のシートを製造するために必要な無着色の添加剤の総量、及び、白色の添加剤の総量を算出する。次いで、制御部２０は、１の白色濃淡レベルについて、ユーザーが指定した枚数分のシートを製造するために必要な無着色の添加剤の総量が、無着色の添加剤の残量を下回り、かつ、ユーザーが指定した枚数分のシートを製造するために必要な白色の添加剤の総量が、白色の添加剤の残量を下回る場合、当該１の白色濃淡レベルを、製造するシートの色空間とすることが可能な白基準色の白色濃淡レベルとして算出する。なお、シートの色空間とすることが可能な白基準色の白色濃淡レベルを算出する方法は、例示した方法に限らない。
ここで、色空間には、「白基準色の濃淡」が含まれる。従って、制御部２０は、シートの色空間とすることが可能な白基準色の白色濃淡レベルを算出することにより、ユーザーが指定したサイズ、厚さのシートを、ユーザーが指定した枚数、製造する場合に、シートの色空間として、選択可能な色空間を算出している。
【００４３】
＜製造するシートの種類が「色紙」の場合＞
製造するシートの種類が「色紙」の場合、ユーザーは、ステップＳＡ５の色空間算出処理の実行後にタッチパネル５に表示される色相選択ユーザーインターフェースＵＩ２（図６参照。）により、製造するシートの色空間である非白基準色について、その色相を選択できる。本実施形態では、ユーザーは、色相選択ユーザーインターフェースＵＩ２により、非白基準色の色相として、赤色、紫色、黄色、青緑色、緑色、青色を選択できる。
製造するシートの種類が「色紙」の場合、上述した混合工程Ｋ５において、解繊物に対して、１又は複数の特定色の添加剤が供給されると共に、必要に応じて無着色の添加剤が供給され、解繊物と供給された添加物とが混合される。混合工程Ｋ５において、所定の単位の重量の解繊物に対して供給される添加剤の全体の量における特定色の添加剤の量の割合は、ユーザーがシートの色空間として指定した非白基準色の色相により異なる。
【００４４】
製造するシートの種類が「色紙」の場合、ステップＳＡ５の色空間算出処理において、制御部２０は、以下の処理を実行する。すなわち、制御部２０は、ユーザーが指定したサイズ、厚さで、ユーザーが指定した枚数のシートを製造する場合に、特定色の添加剤、及び、無着色の添加剤のそれぞれについて残量不足が生じることなく、シートの色空間とすることが可能な色相を算出する。
例えば、制御部２０は、以下の処理を実行する。制御部２０は、選択可能な色相のそれぞれについて、ユーザーが指定したサイズ、厚さのシートを、１枚、製造するために必要な特定色の添加剤の量、及び、無着色の添加剤の量を算出する。当該算出に必要な情報は、予めＲＯＭ等に登録されている。次いで、制御部２０は、選択可能な色相のそれぞれについて、１枚のシートを製造するために必要な特定色の添加剤の量、及び、無着色の添加剤の量に基づいて、ユーザーが指定した枚数分のシートを製造するために必要な特定色の添加剤の総量、及び、無着色の添加剤の総量を算出する。次いで、制御部２０は、１の色相について、ユーザーが指定した枚数分のシートを製造するために必要な特定色の添加剤の総量が、特定色の添加剤の残量を下回り、かつ、ユーザーが指定した枚数分のシートを製造するために必要な無着色の添加剤の総量が、無着色の添加剤の残量を下回る場合、当該１の色相を、製造するシートの色空間とすることが可能な非白基準色の色相として算出する。なお、シートの色空間とすることが可能な非白基準色の色相を算出する方法は、例示した方法に限らない。
ここで、色空間には、「非白基準色の色相」が含まれる。従って、制御部２０は、シートの色空間とすることが可能な非白基準色の色相を算出することにより、ユーザーが指定したサイズ、厚さのシートを、ユーザーが指定した枚数、製造する場合に、シートの色空間として、選択可能な色空間を算出している。
【００４５】
ステップＳＡ５で色空間算出処理を実行した後、制御部２０は、ユーザーが指定したシートの種類が「白紙」の場合は、濃淡選択ユーザーインターフェースＵＩ１をタッチパネル５に表示させ、ユーザーが指定したシートの種類が「色紙」の場合は、色相選択ユーザーインターフェースＵＩ２をタッチパネル５に表示させる（ステップＳＡ６）。
【００４６】
図５は、濃淡選択ユーザーインターフェースＵＩ１を示す図である。
図５に示すように、濃淡選択ユーザーインターフェースＵＩ１には、白色濃淡選択領域ＡＲ１が形成される。白色濃淡選択領域ＡＲ１には、白色濃淡レベルの現時点の値が、値の多寡によって長さが変動するバーＢＲ１と、具体的な値を示す情報ＪＨ１ａとにより表現される。ユーザーは、白色濃淡レベルについて、バーＢＲ１と、情報ＪＨ１ａとの組み合わせを参照することにより、現時点の値を、簡易かつ的確に認識できる。また、バーＢＲ１の左端部の左方には、白色濃淡レベルの値をデクリメントするデクリメントボタンＤＢ１がタッチ操作可能なボタンとして表示される。また、バーＢＲ１の右端部の右方には、白色濃淡レベルの値をインクリメントするインクリメントボタンＩＢ１が表示される。ユーザーは、白色濃淡レベルについて、デクリメントボタンＤＢ１、又は、インクリメントボタンＩＢ１をタッチ操作するという簡易な作業を行うことにより、レベルＬ０からレベルＬ４の範囲で、所望の値とすることができる。
【００４７】
濃淡選択ユーザーインターフェースＵＩ１において、制御部２０は、色空間算出処理で選択可能な白色濃淡レベルとして算出された白色濃淡レベルのみを、ユーザーが選択できるように表示する。すなわち、ユーザーは、デクリメントボタンＤＢ１、及び、インクリメントボタンＩＢ１をタッチ操作して、色空間算出処理で選択可能な白色濃淡レベルとして算出された白色濃淡レベルの範囲内でのみ、白色濃淡レベルを選択できる。濃淡選択ユーザーインターフェースＵＩ１では、バーＢＲ１と対応付けて、選択できない白色濃淡レベルを明示する情報ＪＨ１ｂが表示される。
濃淡選択ユーザーインターフェースＵＩ１において、選択可能に表示される白色濃淡レベルは、「色空間情報」に相当する。制御部２０は、濃淡選択ユーザーインターフェースＵＩ１に、製造可能なシートの色空間を示す色空間情報を選択可能に表示させる。
このように、ユーザーは、濃淡選択ユーザーインターフェースＵＩ１により、色空間算出処理で選択可能な白色濃淡レベルとして算出された白色濃淡レベルのみを指定することができる。これにより、以下の効果を奏する。すなわち、添加剤の残量不足が発生することなく、ユーザーが指定した枚数のシートを製造可能な白色濃淡レベルのみがユーザーによって選択される。このため、シートを製造する処理を開始した後、ユーザーが指定した枚数分のシートが製造される前に、添加剤の残量不足が発生し、処理が中断することが防止される。
【００４８】
図５に示すように、濃淡選択ユーザーインターフェースＵＩ１には、ユーザーが指定したシートのサイズ、シートの種類、及び、シートの厚さを示す情報がそれぞれ表示される。また、濃淡選択ユーザーインターフェースＵＩ１には、白色濃淡レベルの選択を確定する確定ボタンＢＫ１がタッチ操作可能に表示される。
ユーザーは、デクリメントボタンＤＢ１、又は、インクリメントボタンＩＢ１をタッチ操作して白色濃淡レベルを選択した後、確定ボタンＢＫ１をタッチ操作して、白色濃淡レベルの選択を確定する（ステップＳ３）。
制御部２０は、確定ボタンＢＫ１がタッチ操作されたことを検出すると、ユーザーにより選択された白色濃淡レベルに基づいて、製造するシートの色空間を決定する（ステップＳＡ７）。ステップＳＡ７の処理により、製造するシートについて、サイズ、厚さ、色空間、及び、製造する枚数が決定する。ステップＳＡ７の処理後、制御部２０は、処理手順をステップＳＡ１５へ移行する。
【００４９】
図６は、色相選択ユーザーインターフェースＵＩ２を示す図である。
図６に示すように、色相選択ユーザーインターフェースＵＩ２には、色相選択領域ＡＲ２が形成される。色相選択領域ＡＲ２には、選択可能な色相（赤色、紫色、黄色、青緑色、緑色、及び、青色。）のそれぞれについて、色相選択オブジェクトＯＪ２が表示される。色相選択オブジェクトＯＪ２は、対応する色相の色を背景色とする矩形のオブジェクトである。色相選択オブジェクトＯＪ２は、それぞれ、タッチ操作により選択可能である。
なお、色相選択オブジェクトＯＪ２により選択可能な色相は、あくまで一例であり、他の色相を含んでもよい。ただし、本実施形態で例示する６つの赤色、紫色、黄色、青緑色、緑色、及び、青色は、シートの色相に採用される代表的な色相であり、選択可能な色相として、適切である。
【００５０】
色相選択ユーザーインターフェースＵＩ２において、制御部２０は、色空間算出処理で選択可能な色相として算出された色相のみを、ユーザーが選択できるように表示する。すなわち、色空間算出処理で選択可能な色相として算出された色相に対応する色相選択オブジェクトＯＪ２に対するタッチ操作のみが有効とされ、それ以外の色相選択オブジェクトＯＪ２に対するタッチ操作は無効とされる。色相選択領域ＡＲ２では、選択することができない色相に対応する色相選択オブジェクトＯＪ２と対応付けて、色相選択オブジェクトＯＪ２が選択できないことを明示する情報ＪＨ２が表示される。
色相選択ユーザーインターフェースＵＩ２において、選択可能に表示される色相選択オブジェクトＯＪ２（色相）は、「色空間情報」に相当する。制御部２０は、色相選択ユーザーインターフェースＵＩ２に、製造可能なシートの色空間を示す色空間情報を選択可能に表示させる。
このように、ユーザーは、色相選択ユーザーインターフェースＵＩ２により、色空間算出処理で選択可能な色相として算出された色相のみを指定することができる。これにより、以下の効果を奏する。すなわち、添加剤の残量不足が発生することなく、ユーザーが指定した枚数のシートを製造可能な色相のみがユーザーによって選択される。このため、シートを製造する処理を開始した後、ユーザーが指定した枚数分のシートが製造される前に、添加剤の残量不足が発生し、処理が中断することが防止される。
【００５１】
図６に示すように、色相選択ユーザーインターフェースＵＩ２には、ユーザーが指定したシートのサイズ、シートの種類、及び、シートの厚さを示す情報がそれぞれ表示される。また、色相選択ユーザーインターフェースＵＩ２には、色相の選択を確定する確定ボタンＢＫ２がタッチ操作可能に表示される。
ユーザーは、いずれかの色相選択オブジェクトＯＪ２をタッチ操作することによって、シートの非白基準色の色相を選択した後、確定ボタンＢＫ２をタッチ操作して、色相の選択を確定する（ステップＳ３）。
制御部２０は、確定ボタンＢＫ２がタッチ操作されたことを検出すると、ユーザーにより選択された色相に基づいて、製造するシートの色空間を決定する（ステップＳＡ７）。ステップＳＡ７の処理により、製造するシートについて、サイズ、厚さ、色空間、及び、製造する枚数が決定する。ステップＳＡ７の処理後、制御部２０は、処理手順をステップＳＡ１５へ移行する。
【００５２】
一方、ステップＳＡ１において、選択されたモードが色指定モードＭ２であると判別した場合（ステップＳＡ１：「色指定モード」）、制御部２０は、タッチパネル５に、シート種類選択ユーザーインターフェースを表示させる（ステップＳＡ８）。
シート種類選択ユーザーインターフェースは、シート製造装置１に製造させるシートの種類をユーザーに選択させるユーザーインターフェースである。ユーザーは、シート種類選択ユーザーインターフェースに対してタッチ操作を行って、シートの種類として、「白紙」、又は、「色紙」を選択する（ステップＳ４）。
【００５３】
ユーザーによりシートの種類が選択されると、制御部２０は、タッチパネル５に、色空間入力ユーザーインターフェースを表示させる（ステップＳＡ９）。
色空間入力ユーザーインターフェースは、シート製造装置１に製造させるシートのサイズを示すサイズ情報と、シートの厚さを示す厚さ情報と、製造させるシートの色空間を示す情報（以下、「製造色空間情報」という。）と、が入力可能なユーザーインターフェースである。
色空間入力ユーザーインターフェースには、ユーザーが選択したシートの種類が「白紙」の場合は、図５で示した濃淡選択ユーザーインターフェースＵＩ１の白色濃淡選択領域ＡＲ１と同様の領域が形成される。ユーザーは、製造色空間情報として、シートの白基準色の白色濃淡レベルを入力する。
色空間入力ユーザーインターフェースには、ユーザーが選択したシートの種類が「色紙」の場合は、図６で示した色相選択ユーザーインターフェースＵＩ２の色相選択領域ＡＲ２と同様の領域が形成される。ユーザーは、製造色空間情報として、シートの非白基準色の色相を入力する。
【００５４】
ユーザーは、色空間入力ユーザーインターフェースに、シート製造装置１に製造させるシートについてのサイズ情報、厚さ情報、及び、製造色空間情報を入力する（ステップＳ５）。
【００５５】
色空間入力ユーザーインターフェースに対するユーザーの入力に応じて、制御部２０は、サイズ情報、厚さ情報、及び、製造色空間情報を取得する（ステップＳＡ１０）。
次いで、制御部２０は、ＩＣタグ通信部２４を制御して、各カートリッジＫＴに取り付けられたＩＣタグから、添加剤色情報、及び、添加剤残量情報を読み出し、各色の添加剤について、添加剤残量情報を取得する（ステップＳＡ１１）。
【００５６】
次いで、制御部２０は、ステップＳＡ１０で取得したサイズ情報、厚さ情報、及び、製造色空間情報と、ステップＳＡ１１で取得した添加剤残量情報とに基づいて、枚数算出処理を実行する（ステップＳＡ１２）。
枚数算出処理は、各色のカートリッジＫＴ（添加剤収容部６）に収容された添加剤の残量を踏まえ、ユーザーが指定したサイズ、厚さ、種類、色空間のシートを製造する場合に、製造可能なシートの枚数を算出する処理である。
【００５７】
枚数算出処理において、制御部２０は、例えば、以下の処理を実行する。
制御部２０は、ユーザーが指定したサイズ、厚さ、種類、色空間のシートを、１枚、製造するために必要な各色の添加剤の量を算出する。当該算出に必要な情報は、予めＲＯＭ等に登録されている。次いで、制御部２０は、各色の添加剤の残量、及び、１枚当たりのシートの製造に必要な各色の添加剤の量に基づいて、各色の添加剤について残量不足が発生することなく、製造可能なシートの枚数を算出する。なお、製造可能なシートの枚数を算出する方法は、例示した方法に限らない。
【００５８】
ステップＳＡ１２で枚数算出処理を実行した後、制御部２０は、タッチパネル５に、枚数設定ユーザーインターフェースＵＩ３を表示させる（ステップＳＡ１３）。
【００５９】
図７は、枚数設定ユーザーインターフェースＵＩ３を示す図である。
図７に示すように、枚数設定ユーザーインターフェースＵＩ３には、製造可能なシートの枚数の上限を明示する情報ＪＨ３（枚数情報）が表示される。ユーザーは、情報ＪＨ３を参照することにより、製造するシートの枚数として設定可能な枚数の上限値を、簡易かつ的確に認識できる。
また、枚数設定ユーザーインターフェースＵＩ３には、枚数入力欄Ｒ３が表示される。枚数入力欄Ｒ３は、シート製造装置１に製造させるシートの枚数を示す情報をユーザーが入力する入力欄である。
図４のフローチャートＦＡに示すように、ユーザーは、情報ＪＨ３が示す製造可能なシートの枚数を上限値として、シート製造装置１に製造させるシートの枚数を示す情報を、枚数入力欄Ｒ３に入力する（ステップＳ６）。なお、制御部２０は、製造可能なシートの枚数の上限を超える枚数を示す情報がユーザーにより入力された場合、入力を受け付けず、その旨の情報を表示する。
このように、ユーザーは、シート製造装置１に製造させるシートの枚数として、各色の添加剤について残量不足が発生することなく製造可能な枚数のみを設定できる。このため、シートを製造する処理を開始した後、ユーザーが指定した枚数分のシートが製造される前に、添加剤の残量不足が発生し、処理が中断することが防止される。
【００６０】
枚数入力欄Ｒ３への入力に応じて、制御部２０は、シート製造装置１に製造させるシートの枚数を示す情報を取得する（ステップＳＡ１４）。ステップＳＡ１４の処理により、製造するシートについて、サイズ、厚さ、色空間、及び、製造する枚数が決定する。ステップＳＡ１４の処理後、制御部２０は、処理手順をステップＳＡ１５へ移行する。
【００６１】
ステップＳＡ１５において、制御部２０は、シート製造装置１によるシートの製造の開始の指示があったか否かを監視する。
ユーザーは、シート製造装置１にシートの製造を開始させる場合、所定の手段（例えばタッチパネル５に表示される製造開始ボタン）で、シートの製造の開始を指示する（ステップＳ７）。
ユーザーによりシートの製造の開始の指示があったことを検出すると（ステップＳＡ１５：ＹＥＳ）、制御部２０は、シート製造装置１の各部を制御して、シートの製造を実行する（ステップＳＡ１６）。詳細は省略するが、シートの製造において、制御部２０は、シート製造装置１の各部を適切に制御して、ユーザーが指定したサイズ、厚さ、色空間のシートを、ユーザーが指定した枚数分、製造する。
【００６２】
以上説明したように、本実施形態に係るシート製造装置１は、繊維と、着色材を含む添加剤との混合物からシートを製造する。シート製造装置１は、添加剤を色ごとに収容する複数の添加剤収容部６と、添加剤の供給を制御する制御部２０と、を有する。制御部２０は、製造するシートの量を示すシート量情報を取得すると共に、添加剤の残量を示す添加剤残量情報を取得し、シート量情報が示すシートの量と、添加剤残量情報が示す添加剤の残量とに基づいて、製造可能なシートの色空間を示す色空間情報を選択可能に表示させる。
この構成によれば、シートの製造に際し、添加剤の残量不足を発生させることなく製造可能なシートの色空間を示す色空間情報という、製造されるシートに関する有益な情報をユーザーに提供できる。
【００６３】
また、本実施形態では、制御部２０は、色空間情報として、色相を示す情報、又は、濃淡を示す濃淡情報を取得する。
この構成によれば、制御部２０は、色空間情報として、製造するシートの色に関する的確な情報を取得できる。
なお、本実施形態では、ユーザーは、製造するシートの色空間として、シートの種類が「色紙」の場合は色相を選択可能であり、シートの種類が「白紙」の場合は濃淡を選択可能であった。そして、制御部２０は、色空間情報として、色相を示す情報、又は、濃淡を示す情報を取得した。これに代えて、製造するシートの色空間として、色相と、濃淡との組み合わせを選択可能とした上で、制御部２０が、色空間情報として、色相を示す情報と、濃淡を示す情報との組み合わせを取得する構成でもよい。
【００６４】
また、本実施形態では、添加剤収容部６は、添加剤を収容したカートリッジＫＴを含む。カートリッジＫＴは、収容する添加剤の色を示す添加剤色情報を有する。制御部２０は、カートリッジＫＴから添加剤色情報を取得する。
この構成によれば、制御部２０は、カートリッジＫＴに収容された添加剤の色を的確に認識できる。
【００６５】
また、本実施形態では、添加剤収容部６は、添加剤を収容したカートリッジＫＴを含む。カートリッジＫＴは、添加剤残量情報を有する。制御部２０は、カートリッジＫＴから添加剤残量情報を取得する。
この構成によれば、制御部２０は、カートリッジＫＴに収容された添加剤の残量を的確に認識できる。
【００６６】
また、本実施形態では、制御部２０は、カートリッジＫＴが収容する添加剤の残量に応じて、カートリッジＫＴが有する添加剤残量情報の値を変更する機能を有する。
この構成によれば、制御部２０は、適宜、カートリッジＫＴが有する添加剤残量情報の値を、実際のカートリッジＫＴに収容された添加剤の残量に対応する値に更新することができる。
【００６７】
また、本実施形態では、添加剤収容部６は、添加剤を収容したカートリッジＫＴと、カートリッジＫＴから添加剤を受け入れるホッパーと、添加剤の残量を検出する検出器１０と、を有する。制御部２０は、検出器１０の検出結果に基づいて、カートリッジＫＴが有する添加剤残量情報の値を変更する。
この構成によれば、制御部２０は、検出器１０の検出結果に基づいて、適宜、カートリッジＫＴが有する添加剤残量情報の値を、実際のカートリッジＫＴに収容された添加剤の残量に対応する値に更新することができる。
【００６８】
以上説明したように、本実施形態に係るシート製造装置１は、繊維と、着色材を含む添加剤との混合物からシートを製造する。シート製造装置１は、添加剤を色ごとに収容する複数の添加剤収容部６と、添加剤の供給を制御する制御部２０と、を有する。制御部２０は、製造するシートの色空間を示す色空間情報を取得すると共に、添加剤の残量を示す添加剤残量情報を取得し、色空間情報が示すシートの色空間と、添加剤残量情報が示す添加剤の残量とに基づいて、製造可能なシートの枚数を示す枚数情報を表示させる。
この構成によれば、シートの製造に際し、添加剤の残量不足を発生させることなく製造可能なシートの枚数を示す枚数情報という、製造されるシートに関する有益な情報をユーザーに提供できる。
【００６９】
＜第１変形例＞
次に、枚数指定モードＭ１で表示される色相選択ユーザーインターフェースＵＩ２の第１変形例について説明する。
図８は、色相選択ユーザーインターフェースＵＩ２の第１変形例を示す図である。
図６と図８との比較で明らかなとおり、第１変形例に係る色相選択ユーザーインターフェースＵＩ２の色相選択領域ＡＲ２には、カラーパレット画像ＰＧ２ａが表示される。
図８に示すように、カラーパレット画像ＰＧ２ａは、その上部に、左右方向に並んで、１０個の代表色選択ボタンＥＢ２を有する。代表色選択ボタンＥＢ２は、１０個の異なる色のそれぞれについて、各色で塗りつぶされた矩形のボタンである。代表色選択ボタンＥＢ２に対応する色相のそれぞれは、製造するシートの色相として採用される代表的な色相とされる。
さらに、カラーパレット画像ＰＧ２ａは、代表色選択ボタンＥＢ２のそれぞれと対応付けて、上下方向に並んで、５個の関連色選択ボタンＫＢ２を有する。関連色選択ボタンＫＢ２は、対応する代表色選択ボタンＥＢ２の色相について、明度、彩度を少しずつ変化させた５個の色のそれぞれについて、各色で塗りつぶされた矩形のボタンである。
【００７０】
ユーザーは、代表色選択ボタンＥＢ２、及び、関連色選択ボタンＫＢ２のいずれかをタッチ操作で選択することによって、製造するシートの色相を選択する。
【００７１】
制御部２０は、色空間算出処理の結果に基づいて、カラーパレット画像ＰＧ２ａが有するボタンのうち、添加剤の残量の関係から選択できない色相に対応するボタンについては、選択できないことを示す画像を付加する。図８の例では、制御部２０は、選択できない色相に対応するボタンに、網掛けの画像を重ねて表示し、ボタンが選択できないことを明示する。また、制御部２０は、選択できない色相に対応するボタンがタッチ操作された場合であっても、選択を受け付けず、その旨の情報を表示する。
【００７２】
以上のような構成であっても、ユーザーに、添加剤の残量不足が生じることなく、シートの色空間とすることが可能な色空間のみを選択させることができる。また、ユーザーに、添加剤の残量不足を発生させないという観点から選択可能な色空間、という有益な情報を提供できる。
【００７３】
＜第２変形例＞
次に、枚数指定モードＭ１で表示される色相選択ユーザーインターフェースＵＩ２の第２変形例について説明する。
図９は、色相選択ユーザーインターフェースＵＩ２の第２変形例を示す図である。
図６と図９との比較で明らかなとおり、第２変形例に係る色相選択ユーザーインターフェースＵＩ２の色相選択領域ＡＲ２には、カラーパレット画像ＰＧ２ｂが表示される。
図９に示すように、カラーパレット画像ＰＧ２ｂは、複数の色について、色相、明度、彩度に応じて放射状に展開された矩形の色選択ボタンＱＢ２を有する。色選択ボタンＱＢ２のそれぞれは、タッチ操作可能なボタンである。
【００７４】
ユーザーは、色選択ボタンＱＢ２のいずれかをタッチ操作で選択することによって、製造するシートの色相を選択する。
制御部２０は、色空間算出処理の結果に基づいて、カラーパレット画像ＰＧ２ｂが有するボタンのうち、添加剤の残量の関係から選択できない色相に対応するボタンについては、選択できないことを示す画像を付加する。図９の例では、制御部２０は、選択できない色相に対応するボタンに、網掛けの画像を重ねて表示し、ボタンが選択できないことを明示する。また、制御部２０は、選択できない色相に対応するボタンがタッチ操作された場合であっても、選択を受け付けず、その旨の情報を表示する。
【００７５】
以上のような構成であっても、ユーザーに、添加剤の残量不足が生じることなく、シートの色空間とすることが可能な色空間のみを選択させることができる。また、ユーザーに、添加剤の残量不足を発生させないという観点から選択可能な色空間、という有益な情報を提供できる。
【００７６】
＜第３変形例＞
次に、枚数指定モードＭ１で表示される色相選択ユーザーインターフェースＵＩ２の第３変形例について説明する。
図１０は、色相選択ユーザーインターフェースＵＩ２の第３変形例を示す図である。
図６と図１０との比較で明らかなとおり、第３変形例に係る色相選択ユーザーインターフェースＵＩ２の色相選択領域ＡＲ２には、カラーパレット画像ＰＧ２ｃが表示される。
図１０に示すように、カラーパレット画像ＰＧ２ｃは、複数の色について、色相、明度、彩度に応じて、正六角形の枠内で所定の態様で隣接して配置された正六角形の色選択ボタンＸＢ２を有する。色選択ボタンＸＢ２のそれぞれは、タッチ操作可能なボタンである。
【００７７】
ユーザーは、色選択ボタンＸＢ２のいずれかをタッチ操作で選択することによって、製造するシートの色相を選択する。
制御部２０は、色空間算出処理の結果に基づいて、カラーパレット画像ＰＧ２ｃが有するボタンのうち、添加剤の残量の関係から選択できない色相に対応するボタンについては、選択できないことを示す画像を付加する。図１０の例では、制御部２０は、選択できない色相に対応するボタンに、網掛けの画像を重ねて表示し、ボタンが選択できないことを明示する。また、制御部２０は、選択できない色相に対応するボタンがタッチ操作された場合であっても、選択を受け付けず、その旨の情報を表示する。
【００７８】
以上のような構成であっても、ユーザーに、添加剤の残量不足が生じることなく、シートの色空間とすることが可能な色空間のみを選択させることができる。また、ユーザーに、添加剤の残量不足を発生させないという観点から選択可能な色空間、という有益な情報を提供できる。
【００７９】
なお、上述した実施の形態は、あくまでも本発明の一態様を示すものであり、本発明の範囲内で任意に変形および応用が可能である。
例えば、上述した実施形態では、カートリッジＫＴには、非接触で通信する機能を有するＩＣタグが取り付けられ、シート製造装置１は、ＩＣタグと非接触で通信した。この点に関し、以下の構成でもよい。すなわち、無線通信機能を有するＩＣタグに代えて、接触して通信する機能を有するＩＣチップ（メモリー基板）をカートリッジＫＴに取り付ける。ＩＣチップに、添加剤色情報と、添加剤残量情報とを記録する。そして、シート製造装置１は、ＩＣチップと接触して通信し、適宜、情報を読み取り、また、情報の値を変更する。
また例えば、上述した実施形態では、カートリッジＫＴに収容された添加剤の色は、無着色、白色、イエロー、マゼンタ、シアンであった。ただし、カートリッジＫＴに収容される添加剤の色は本実施形態で例示した色に限らない。例えば、「黒色（Ｋ）」等が含まれてもよい。
また、上述した実施形態では、シート製造装置１は切断部３８を有し、長尺状のシートを所定のサイズに切断して排紙した。また、製造させるシートの枚数を示す情報をユーザーが入力できるように構成した。この点に関し、以下の構成でもよい。すなわち、シート製造装置１は、長尺状のシートをロール状に巻いて、ロール紙として排紙するよう構成する。また、上述した実施形態におけるサイズ情報および製造枚数情報に代えて、それぞれロール紙の幅を示す情報およびロール紙の長さを示す情報を、ユーザーが入力できるように構成する。
また、図を用いて説明した機能ブロックは、本願発明を理解容易にするために、各装置の機能構成を主な処理内容に応じて分類して示した概略図である。各装置の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【００８０】
１…シート製造装置、５…タッチパネル、６…添加剤収容部、７…電源スイッチ、８…ブレーカースイッチ、９…ホッパー、１０…検出器、２０…制御部、２２…記憶部、２３…入力部、２４…ＩＣタグ通信部、３１…供給部、３２…粗砕部、３３…解繊部、３４…選別部、３５…混合部、３６…堆積部、３７…シート形成部、３８…切断部、３９…排紙部、４０…加湿部、ＫＴ１…第１カートリッジ（カートリッジ）、ＫＴ２…第２カートリッジ（カートリッジ）、ＫＴ３…第３カートリッジ（カートリッジ）、ＫＴ４…第４カートリッジ（カートリッジ）、ＫＴ５…第５カートリッジ（カートリッジ）、ＫＴ６…第６カートリッジ（カートリッジ）。
【図１】
2018144459.tif 000003
【図２】
2018144459.tif 000004
【図３】
2018144459.tif 000005
【図４】
2018144459.tif 000006
【図５】
2018144459.tif 000007
【図６】
2018144459.tif 000008
【図７】
2018144459.tif 000009
【図８】
2018144459.tif 000010
【図９】
2018144459.tif 000011
【図１０】
2018144459.tif 000012